(57)【特許請求の範囲】
【請求項１】
上面に露光開口が、両側壁の前端部から後端部まで嵌合リブがそれぞれ一体に形成され、底部が開口した上ケースと、両側端部に前記嵌合リブとスライド自在に嵌合する嵌合溝が形成され、上ケースの底部を覆い、かつ上ケースの前面にフイルムユニットの排出口を形成するように上ケースに取り付けられた底蓋と、上ケースと底蓋との間に収容されたフイルム圧板とからなるパック本体を有し、フイルム圧板の上面側に前記露光開口と対面するように引き出しシートに接続された感光シートが配置されるとともに、フイルム圧板の底面側には接続シートを介して前記引き出しシートに接続された受像シートが配置されており、前記排出口から突出した引き出しシートの先端を引き出すことによって、感光シートと受像シートとが重なり合って前記排出口から引き出されるピールアパートタイプのインスタントフイルムユニットを収納したインスタントフイルムパックにおいて、
前記嵌合リブの全長は、前記嵌合溝の全長よりも長く、前記底蓋が前記上ケースに取り付けられたとき、前記嵌合溝の少なくとも前端側、もしくは後端側から突出するように、前記嵌合リブが前記嵌合溝に嵌合していることを特徴とするインスタントフイルムパック。
【請求項２】
前記底蓋が前記上ケース側に押し付けられたとき、前記排出口側の寸法が、前記底蓋の底面から前記上ケースの上面まで１７．８ｍｍ以上であることを特徴とする請求項１記載のインスタントフイルムパック。
【請求項３】
前記嵌合リブの前記排出口側には、前記底蓋が前記上ケース側に押し付けられたとき、その先端が底蓋よりも下方へ突出する突出部を有することを特徴とする請求項１又は２記載のインスタントフイルムパック
【請求項４】
前記突出部の先端から前記上ケースの上面までの寸法が１７．８ｍｍ以上であることを特徴とする請求項３記載のインスタントフイルムパック
【発明の詳細な説明】
【０００１】
【発明の属する技術分野】
本発明は、ピールアパートタイプのインスタントフイルムユニットを収納したインスタントフイルムパックに関するものである。
【０００２】
【従来の技術】
自己現像処理型のインスタントフイルムユニットにはモノシートタイプのもののほかにピールアパートタイプのものがある。ピールアパートタイプのインスタントフイルムユニット（以下、単にフイルムユニットという）は、特公平６−８７１５５号公報などに記載されているように感光シートと受像シートとを分離した状態にしてパック本体内に収納している。このようなフイルムユニットは、複数枚（例えば１０枚）が積層してパック本体に収納され、インスタントフイルムパック（以下フイルムパックという）として市販されている。
【０００３】
ピールアパートタイプのフイルムユニット１を収納するために用いられている従来のパック本体６１の構造を図７に示す。パック本体６１は、略直方体形状をした箱型のケース本体の上面を構成する上ケース６２と、上ケース６２の底部開口を覆ってケース本体の底面を構成する底蓋６３と、上ケース６２と底蓋６３との間に収容されたフイルム圧板６４とからなり、上ケース６２には露光開口６５が形成されている。なお、パック本体６１にはフイルムユニット１が１０ユニット分程度収納されるが、図面の煩雑化を避けるために図７、図８、図１０、及び図１１では１ユニットだけを図示してある。上ケース６２は、特にコーナー部分での遮光を確実に維持し、かつ製造コストも低くできることからプラスチックの射出成形品で構成されている。その前面壁６６の下縁は背面壁あるいは両側壁の下縁よりも上になっており、上ケース６２の底部開口を覆うように底蓋６３を取り付けたときに、前面壁６６の下側にフイルムユニット１の排出口が形成される。
【０００４】
上ケース６２の両側壁にはそれぞれ嵌合リブ６７が一体に形成され、嵌合リブ６７の下方には両側壁のそれぞれ２個所に切欠６８が形成されている。フイルム圧板６４は金属薄板のプレス成形により作られ、平坦な平板部６９の前端側にフイルムユニットの支持片７０、後端側に屈曲部７１、両側に垂直下方に折り曲げた折り曲げ片７２が形成されている。支持片７０の端部には一対の係止孔７０ａが明けられ、フイルムユニット１の端部をホチキス止めするときに用いられる。
【０００５】
底蓋６３は金属薄板のプレス成形によって作られている。底板部７３の両サイドには、側板部７４が折り曲げ形成され、さらに各々の側板部７４の上縁は内側に向かって折り曲げられており、側板部７４の内側に嵌合溝７５を形成している。この底蓋６３を上ケース６２の背面側からスライドさせて装着すると、上ケース６２の両側壁に形成された嵌合リブ６７が嵌合溝７５に進入し、両者が一体に連結される。
【０００６】
底板部７３の両サイドに沿って、板バネ片７６が２個ずつ折り曲げ形成されている。板バネ片７６は、フイルム圧板６４を上ケース６２に収納して底蓋６３を上ケース６２に取り付けたとき、折り曲げ片７２の下縁を押し上げてフイルム圧板７６を露光開口７７に向かって付勢する。底板部７３の前縁側に切欠７７が形成され、切欠７７内に突出するようにスポンジシート７８が設けられている。スポンジシート７８は、紙材を支持体にしてその上面にウレタンスポンジを貼り合わせたもので、露光後にフイルムユニットを引き出し操作したときに、感光シートが一定の位置に引き出されてくるまでは受像シートが動かないように規制するための規制手段として用いられている。
【０００７】
上記パック本体６１にフイルムユニット１を収納することによってフイルムパック８１が構成される。図８に示すように、フイルムパック８１はパックホルダ４５に装填して用いられる。パックホルダ４５はカメラバックとも称され、詳しくは図３に示すように、フイルムパックが嵌め込まれるパック保持枠４６が設けられたホルダ基部４７と、軸４８によりホルダ基部４７に回転自在に軸着されたカバープレート４９とからなる。ホルダ基部４７には、矩形の開口４７ａが形成され、パックホルダ４５はホルダ基部４７の表面がカメラの背面に密着するように固定して使用される。なお、符号４７ｂはパックホルダ４５をカメラの背面に位置決めするときに用いられる突条を示す。
【０００８】
パック保持枠４６は、ホルダ基部４７の内面側でカバープレート４９と対面する位置に、開口４７ａを囲むように設けられており、パック保持枠４６にフイルムパック８１を嵌め込んだとき、上ケース６２の背面壁がパック保持枠４６の一端側に組み込まれた板バネ５０によって押圧され、上ケース６２の前面壁６６がパック保持枠４６の他端側壁面で受け止められる。これにより、フイルムパック８１はパック保持枠４６の中に安定して保持され、開口４７ａの位置に露光開口６５の位置が合わせられるように位置決めされる。なお、カメラに一体に保持されたパックホルダの場合には、ホルダ基部４７がカメラボディと一体に設けられ、カバープレート４９がカメラボディに対して開閉自在に組み付けられることになるが、全く同様にしてフイルムパック８１の装填を行うことができる。
【０００９】
カバープレート４９には、一対の展開ローラ５１を含むローラアセンブリ５２が装着され、パック保持枠４６と対面する内壁には板バネ５３が固定されている。パック保持枠４６にフイルムパック８１を装填し、カバープレート４９を閉じると、カバープレート４９に組み込まれたロック機構が、カバープレート４９を閉じ位置にロックする。このロック機構は、ロックレバー５４及び図示しないバネからなり、カバープレート４９が閉じ位置にあるとき、ホルダ基部４７に一体に形成された被係止部５５の被係止穴５５ａ（図１０及び図１１参照）が、ロックレバー５４の係止爪５４ａに対面するように位置して、図示しないバネの付勢によりロックレバー５４が移動して係止爪５４ａが被係止穴５５ａを係止するので、カバープレート４９が閉じ位置にロックされる。このロック機構により、カバープレート４９が閉じ位置にロックされると、板バネ５３がフイルムパック８１の底蓋６３を押圧し、フイルムパック８１全体をホルダ基部４７の開口４７ａ側へ付勢する。これにより、パック本体６１の上面がパック保持枠４６の開口４７ａが形成されている面に押し付けられ、撮影光軸方向でのフイルムパック８１の位置決めが行われる。
【００１０】
【発明が解決しようとする課題】
上述したようなフイルムパック８１では、底蓋６３の嵌合溝７５との嵌合をスムーズにし、組み付け工程を容易に行うため、また、少しでも材料のプラスチックを節約してコストダウンを図りたいという要求もあり、嵌合リブ６７の全長をできるだけ短くしている。これにより、図９に示すように、嵌合リブ６７の全長は可能な限り短く設定されているうえ、上ケース６２の先端側は、嵌合リブ６７も含めて斜めに切り欠かれているので、嵌合リブ６７が嵌合溝７５と嵌合している部分の全長Ａは、嵌合溝７５の全長Ｂよりも短かく、全長Ｃで示す部分は嵌合溝７５に嵌合リブ６７が嵌合していない。また、この嵌合リブ６７が嵌合溝７５と嵌合している部分の全長Ａは、上ケース６２と底蓋６３とを連結させたとき、必要十分な接合力が得られると考えられる長さに設定されている。
【００１１】
そこで、このようなフイルムパック８１をパックホルダ４５に装填した場合、フイルムパック４５がパック保持枠４６に嵌め込まれずに、位置決めが不完全な状態のままカバープレート４９が閉じ位置にロックされるという問題が発生する。フイルムパック８１をパック保持枠４６に嵌め込むときには、まずフイルムパック８１の後端側を嵌め込み、次に板バネ５０の付勢に抗してフイルムパック８１をパック保持枠４６の一端側に押し付けながら、上ケース６２の前面壁６６をパック保持枠４６の他端側壁面の位置まで移動させて、フイルムパック８１の前端側を嵌め込む。
【００１２】
このパック保持枠４６に嵌め込むときに、フイルムパック８１の前端側の嵌め込みが確実に行われなかった場合、あるいは板バネ５０の付勢により、フイルムパック８１が押し戻されて嵌合が外れてしまった場合などに、図１０に示すようにフイルムパック８１の後端部のみがパック保持枠４６に嵌め込まれ、前端部がパック保持枠４６から外れて上方に重なっている状態となる。なお図１０及び図１１は、パックホルダ４５のカバープレート４９の開閉状態を把握しやすいように、ホルダ基部４７を図中下方に配置し、フイルムパック８１の露光開口６５を下向きにしてセットするときの状態を図示している。
【００１３】
図１０に示すような状態で、カバープレート４９を開き位置から閉じ位置へ回動させようとした場合、その回動の途中でカバープレート４９の上面壁内側と、フイルムパック８１の底蓋６３とが当接して、フイルムパック８１は上下方向からの押圧を受けることになる。このとき，嵌合リブ６７と嵌合溝７５とが嵌合している全長Ａで示す部分は、底蓋７５と直交する位置関係にある上ケース６２の側壁が、底蓋６３の全長Ａで示す部分を上方から支持するので、上下方向からの押圧に対して強く変形しにくい。
【００１４】
ところが、上述した全長Ｃで示す部分は嵌合溝７５に嵌合リブ６７が嵌合しておらず、この部分は上ケース６２の側壁に支持されていないので、この全長Ｃで示す部分、すなわち底蓋６３の前端部は、カバープレート４９からの押圧により変形してしまう。これにより、図１１に示すように、カバープレート４９からの押圧を受けて、底蓋６３の前端部（図中拡大して示している部分）が変形したフイルムパック８１は上下方向のクリアランスが減少するため、カバープレート４９は、フイルムパック８１と当接している部分が変形しつつ閉じ位置に到達してしまう。そして、閉じ位置に到達したカバープレート４９のロック機構が作動し、フイルムパック８１の位置決めが不完全な状態でカバープレート４９がロックされてしまう。
【００１５】
本発明は上記事情を考慮してなされたもので、パックホルダに装填するとき、パック保持枠に嵌め込まれずに、位置決めが不完全な状態でパックホルダをロックしてしまうことを防止したインスタントフイルムパックを提供することを目的とする。
【００１６】
【課題を解決するための手段】
上記目的を達成するために、本発明のインスタントフイルムパックは、上面に露光開口が、両側壁の前端部から後端部まで嵌合リブがそれぞれ一体に形成され、底部が開口した上ケースと、両側端部に前記嵌合リブとスライド自在に嵌合する嵌合溝が形成され、上ケースの底部を覆い、かつ上ケースの前面にフイルムユニットの排出口を形成するように上ケースに取り付けられた底蓋と、上ケースと底蓋との間に収容されたフイルム圧板とからなるパック本体を有し、フイルム圧板の上面側に前記露光開口と対面するように引き出しシートに接続された感光シートが配置されるとともに、フイルム圧板の底面側には接続シートを介して前記引き出しシートに接続された受像シートが配置されており、前記排出口から突出した引き出しシートの先端を引き出すことによって、感光シートと受像シートとが重なり合って前記排出口から引き出されるピールアパートタイプのインスタントフイルムユニットを収納しており、前記嵌合リブの全長は、前記嵌合溝の全長よりも長く、前記底蓋が前記上ケースに取り付けられたとき、前記嵌合溝の少なくとも前端側、もしくは後端側から突出するように、前記嵌合リブが前記嵌合溝に嵌合している。なお、前記底蓋が前記上ケース側に押し付けられたとき、前記排出口側の寸法が、前記底蓋の底面から前記上ケースの上面まで１７．８ｍｍ以上であることが好ましい。また、前記嵌合リブの前記排出口側には、前記底蓋が前記上ケース側に押し付けられたとき、その先端が底蓋よりも下方へ突出する突出部を有し、この突出部の先端から前記上ケースの上面までの寸法が１７．８ｍｍ以上であることが好ましい。
【００１７】
【発明の実施の形態】
図１に示すように、本発明を適用したフイルムパック２は、フイルムユニット１と、これを収納するパック本体３とから構成されている。なお、実際には、未使用状態では、遮光シートがパック本体３内部のフイルムユニット１を覆い、フイルムユニット１は、例えば１０枚が積層してパック本体３に収納されるが、図面の煩雑化を避けるためにフイルムユニット１を１枚のみ図示してある。
【００１８】
フイルムユニット１は、感光シート５の前端側に引き出しシート６が接合され、また後端側に余剰現像処理液を受け留めるための短いスカート７が接合されている。さらに、引き出しシート６の後端側で感光シート５に近接する位置に、現像処理液を収容した現像処理液ポッド９と、この現像処理液を感光シート５に向けて案内するファンネル１１とが取り付けられており、またその先端側にはタブ１２が接合されている。受像シート１５は、最終的な写真像を記録するためのものであり、弱シール層を介してマスクシート１６に接合されている。このマスクシート１６は、画面サイズに対応した開口１６ａを備え、その前端が上述したように引き出しシート６に接合されている。
【００１９】
パック本体３は、略直方体形状をした箱型のケース本体の上面を構成する上ケース２０と、ケース本体の底面を構成する底蓋２１と、その両者間に収容されるフイルム圧板２２とからなり、上ケース２０はプラスチックの射出成形によって、底蓋２１とフイルム圧板２２とは、金属薄板の打ち抜き及びプレス加工によって形成されている。なお、上ケース２０を射出成形するプラスチック材料には遮光性を付与する目的で１重量％前後の遮光物質、例えばカーボンブラックが混合される。
【００２０】
上ケース２０の上面には露光開口２３が形成されている。上ケース２０の前面壁２４の下縁が背面壁２５及び両側壁２６の下縁よりも上にあり、底蓋２１との間にフイルムユニット１の排出口を形成する。上ケース２０の両側壁２６には、それぞれの下縁端に沿って嵌合リブ２７が一体に形成されている。嵌合リブ２７の下方には、突出部２８（図２参照）、及び切欠２９が形成されている。突出部２８は、嵌合リブ２７が底蓋２１と嵌合して、さらに底蓋２１を上ケース２０側に押し付けたとき、その先端が底蓋２１よりも下方へ突出する。また、両側壁２６の外面側前端部には、嵌合リブ２７とほぼ直交し、嵌合リブ２７の上面から垂直上方に沿って配置されている補強リブ３０（図２参照）が形成されている。
【００２１】
フイルム圧板２２は、平坦な平板部３１の前端側に、フイルムユニット１の支持片３２、後端側に屈曲部３３、両側面に側板３４が一体に形成されている。支持片３２の端部には一対の係止孔３２ａが開口され、フイルムユニット１の端部を図示しない遮光シートとともにホチキス針３５で止めるときに用いられる。このフイルム圧板２２を上ケース２０に収容して、上ケース２０内で最も上に移動させたとしても、側方から見たときには、側板３４の下縁は切欠２９の高さ範囲内に位置する。すなわち、上ケース２０内におけるフイルム圧板２２の上下方向での位置によらず、切欠２９の上縁が側板３４の下縁よりも下にくることがないように切欠２９の高さ寸法と側板３４の高さ寸法とが決められている。
【００２２】
底蓋２１には、底板部３６の両サイドに側板部３７が、後端に後板３８が折り曲げ形成されている。側板部３７は底板部３６の両サイドから上方へ突出するように折り曲げ形成され、各々の側板部３７の上縁がさらに内側に向かってほぼ直角に折り曲げられることにより側板部３７の内側に嵌合溝３９が形成されている。この底蓋２１を上ケース２０の背面側からスライドさせて装着すると、上ケース２０の両側壁２６に形成された嵌合リブ２７が嵌合溝３９に包み込まれるように進入し、上ケース２０と底蓋２１とが一体に連結される。
【００２３】
底板部３６の両サイドに沿って、板バネ片４０が２個ずつ折り曲げ形成されている。板バネ片４０は、フイルム圧板２２を上ケース２０に収納して底蓋２１を上ケース２０に取り付けたとき、側板３４の下縁を押し上げてフイルム圧板２２を露光開口２３に向かって付勢する。底板部３６の前縁側に切欠４１が形成され、切欠４１内に突出するようにスポンジシート４２が設けられている。
【００２４】
スポンジシート４２は、紙材を支持体にしてその上面にウレタンスポンジを貼り合わせたもので、詳しくは後述するように、露光後にフイルムユニット１を引き出し操作したときに、感光シート５が一定の位置に引き出されてくるまでは受像シート１５が動かないように規制するための規制手段として用いられている。
【００２５】
また、側板部３７の後端部内壁面には一対の凸部（図示せず）が形成されており、嵌合リブ２７に形成された一対の係止溝４３に係止する。後板３８は、底板部３６の後端から垂直上方に屈曲しており、側板部３７とほぼ同じ高さに形成されている。
【００２６】
フイルム圧板２２を上ケース２０に収納して、底蓋２１を上ケース２０に取り付けて、パック本体３を組み立てた状態を図２に示す。この図に示すように、嵌合リブ２７の全長Ｄは、嵌合溝３９の全長Ｂよりも長く、嵌合溝３９には、前端から後端までの全長Ｂの全域で嵌合リブ２７が嵌合しており、嵌合リブ２７は嵌合溝３９の前端側及び後端側から突出している。さらに、突出部２８は、嵌合溝３９の前端側から突出している嵌合リブ２７の排出口に隣接する位置に形成されており、底蓋２１が上ケース２０側に押し付けられたとき、上ケース２０の上面から底蓋２１の底面のまでの距離Ｅよりも上ケース２０の上面から突出部２８の先端までの距離Ｆのほうが長くなっている。なお、フイルムパック１０の標準的なサイズである４×５判の場合、距離Ｅ，Ｆともに１７．８ｍｍ以上に設定している。
【００２７】
このフイルムパック１０は、従来のものと同様に、図３に示すパックホルダ４５に装填して用いられる。図４に本発明のフイルムパック２の使用状態における要部断面を示す。フイルムパック２をパックホルダ４５に装填する場合、まず、パック保持枠４６にフイルムパック２を嵌め込ませる。パック保持枠４６にフイルムパック２を嵌め込むときには、フイルムパック２の後端側を嵌め込み、次に板バネ５０の付勢に抗してフイルムパック２をパック保持枠４６の一端側に押し付けながら、上ケース２０の前面壁２４をパック保持枠４６の他端側壁面の位置まで移動させて、フイルムパック２の前端側を嵌め込む。
【００２８】
このパック保持枠４６に嵌め込むときに、フイルムパック２の前端側の嵌め込みが確実に行われなかった場合、あるいは板バネ５０の付勢により、フイルムパック２が押し戻されて嵌合が外れてしまった場合などに、図５に示すようにフイルムパック２の後端部のみがパック保持枠４６に嵌め込まれ、前端部がパック保持枠４６から外れて上方に重なっている状態となる。なお図５及び図６は、パックホルダ４５のカバープレート４９の開閉状態を把握しやすいように、ホルダ基部４７を図中下方に配置し、フイルムパック２の露光開口２３を下向きにしてセットするときの状態を図示している。
【００２９】
図５に示すような状態で、カバープレート４９を開き位置から閉じ位置へ回動させようとした場合、その回動の途中でカバープレート４９の上面壁内側と、フイルムパック２とが当接して、図６に示すような状態となり、フイルムパック２は上下方向からの押圧を受けることになる（図６の拡大部分）。嵌合リブ２７と嵌合溝３９とは、嵌合溝３９の全域部分で嵌合しているので、底蓋２１と直交する位置関係にある上ケース２０の両側壁２６が、嵌合溝３９の全域部分で底蓋２１を上方から支持するので、底蓋２１は全面的に上下方向からの押圧に強く変形しにくい。さらに、嵌合リブ２７の前端には、突出部２８が形成されているので、底蓋２１が上ケース２０側に押し付けられると、この突出部２８がカバープレート４９の上面壁内側と当接し、カバープレート４９からの押圧を受け止めている。これにより、図５に示すような上下方向から押圧を受ける状態になっても、フイルムパック２はほとんど変形せず、さらに上述した距離Ｅ，Ｆの寸法を十分にとっているので、上下方向の寸法の変化が少ない。これにより、カバープレート４９は閉じ位置まで到達しないので、ロック機構が作動せず、カバープレート４９はロックされない。よって使用者は、フイルムパック２のパック保持枠４６への嵌め込みが不十分であり、位置決めが不完全な状態にあることを認識することができる。そして使用者は、図４に示すようなフイルムパック２が正しくパック保持枠４６に嵌め込まれた状態になおして、フイルムパック２の位置決めを修正する。なお、上ケース２０の両側壁には、上述したように、嵌合リブ２７の上面から垂直上方に沿って配置されている補強リブ３０が形成されており、この補強リブ３０により、さらに上下方向の強度が増加して、底蓋２１が上下方向からの押圧により変形することを確実に防ぐことができる。
【００３０】
そして、フイルムパック２がパック保持枠４６に嵌め込まれるように位置をなおした後、カバープレート４９を閉じ位置に回動し、ロック機構を作動させてカバープレート４９をロックする。ロック機構により、カバープレート４９が閉じ位置にロックされると、板バネ５３がフイルムパック８１の底蓋２１を押圧し、フイルムパック全体２をホルダ基部４７の開口４７ａ側へ付勢する。これにより、パック本体３の上面がパック保持枠４６の開口４７ａが形成されている面に押し付けられ、撮影光軸方向でのフイルムパック２の位置決めが行われ、撮影準備が完了する。上述したように、パックホルダ４５の開口４７ａの位置に露光開口２３の位置が合わせられ、カバープレート４９を閉じ位置にすることで、撮影光軸方向での位置決めをしている。これにより、正しく位置決めされたフイルムパック２のフイルムユニット１へ、露光開口２３を通して撮影が行われるので、使用者は良好な画像を得ることができる。
【００３１】
なお、本発明は上記のような構成のインスタントフイルムパックに限らず、例えば特願平１１−１９３９７２号で提案されているような、プラスチック成形品により構成されたインスタントフイルムパックにも適用することもできる。
【００３２】
【発明の効果】
上述のとおり、本発明のインスタントフイルムパックによれば、上ケースの両側壁に形成されたリブの全長が、底蓋に形成された嵌合溝の全長よりも長く、底蓋が上ケースに取り付けられたとき、嵌合溝の前端側及び後端側から突出するようにリブが嵌合溝に嵌合しているので、パックホルダに装填するときに、位置決めが不完全な状態でパックホルダをロックしてしまうことを防ぐことができる。
【図面の簡単な説明】
【図１】本発明のフイルムパックの分解斜視図ある。
【図２】本発明のフイルムパックの側面図である。
【図３】開いた状態のパックホルダと、フイルムパックを示す斜視図である。
【図４】本発明のフイルムパックをパックホルダに装填した場合を示す要部断面図である。
【図５】図４の状態にフイルムパックを装填するとき、フイルムパックの位置がずれてしまっている状態を示す要部断面図である。
【図６】図５の状態の後、カバープレートを閉じようとしているところを示す要部断面図である。
【図７】従来のフイルムパックの分解斜視図である。
【図８】従来のフイルムパックをパックホルダに装填した場合を示す要部断面図である。
【図９】従来のフイルムパックの側面図である。
【図１０】図９の状態にフイルムパックを装填するとき、フイルムパックの位置がずれてしまっている状態を示す要部断面図である。
【図１１】図１０の状態の後、カバープレートを閉じようとしているところを示す要部断面図である。
【符号の説明】
１  フイルムユニット
２  フイルムパック
３  パック本体
５  感光シート
６  引き出しシート
９  現像処理液ポッド
１２  タブ
１５  受像シート
１６  マスクシート
２０、６２  上ケース
２１，６３  底蓋
２２、６４  フイルム圧板
２３、６５  露光開口
２７、６７  嵌合リブ
３９、７５  嵌合溝
【図１】
0004259773.tif 000002
【図２】
0004259773.tif 000003
【図３】
0004259773.tif 000004
【図４】
0004259773.tif 000005
【図５】
0004259773.tif 000006
【図６】
0004259773.tif 000007
【図７】
0004259773.tif 000008
【図８】
0004259773.tif 000009
【図９】
0004259773.tif 000010
【図１０】
0004259773.tif 000011
【図１１】
0004259773.tif 000012